(57)【要約】      （修正有）【課題】レーザダイオードが発光するときに発生する熱よる温度上昇を精度良く検出して、レーザダイオードの異常高温による損傷等の故障を防止する光ディスク装置を提供する。【解決手段】青色レーザ光源１から射出される青色レーザ光をＢＤメディアの光ディスクの情報記録面に集光する光学系とを備えた光ディスク装置において、青色レーザ光源１のホルダの表面に設けた第１磁性体と、該第１磁性体にレーザ光を照射する光源３５と、第１磁性体からの反射光を入射させる偏光素子３６と、該偏光素子３６から射出されるレーザ光を受光する検出器３７とを備える。第１磁性体が所定温度以下であるときには、第１磁性体からの反射光は、偏光素子３６を透過し、検出器３７に受光される。【選択図】図４
2008293597.tif 000002
【特許請求の範囲】
【請求項１】
第１の光を射出させる発光素子と該発光素子を保持する第１ホルダを備える第１レーザ光源と、第２の光を射出させる発光素子と該発光素子を保持する第２ホルダを備える第２レーザ光源と、光学系とを備え、該光学系を介して前記第１の光を第１光ディスクの情報記録面に集光させることによって情報の再生または記録を行い、前記光学系を介して前記第２の光を第２光ディスクの情報記録面に集光させることによって情報の再生または記録を行う光ディスク装置において、
前記第１ホルダの表面に設けた第１磁性体と、前記第２ホルダの表面に設けた第２磁性体と、前記第１レーザ光源と前記光学系との光路上に配置した第１光路変換手段と、前記第２レーザ光源と前記光学系との光路上に配置した第２光路変換手段と、前記第１光路変換手段で光路を変換された前記第１の光を前記第２磁性体に向けて反射させ、前記第２磁性体からの反射光を入射させる第１偏光ビームスプリッタと、前記第２光路変換手段で光路を変換された前記第２の光を前記第１磁性体に向けて反射させ、前記第１磁性体からの反射光を入射させる第２偏光ビームスプリッタと、前記第１及び第２偏光ビームスプリッタから射出される光を受光する検出器とを備え、
前記第１光ディスクの情報の再生または記録を行うときには、前記第１の光は前記第１光路変換手段により前記光学系に向かうように光路を変換されるとともに、前記第２の光は、前記第２光路変換手段により前記第２偏光ビームスプリッタに向かうように変換され、前記第２偏光ビームスプリッタを介して前記第１磁性体を照射して、前記第１磁性体が所定温度以下であるときには、前記第１磁性体で反射した前記第２の光は前記第２偏光ビームスプリッタを透過して、前記検出器に受光され、
前記第２光ディスクの情報の再生または記録を行うときには、前記第２の光は前記第２光路変換手段により前記光学系に向かうように光路を変換されるとともに、前記第１の光は、前記第１光路変換手段により前記第１偏光ビームスプリッタに向かうように変換され、前記第１偏光ビームスプリッタを介して前記第２磁性体を照射して、前記第２磁性体が所定温度以下であるときには、前記第２磁性体で反射した前記第１の光は前記第１偏光ビームスプリッタを透過して、前記検出器に受光されることを特徴とする光ディスク装置。
【請求項２】
前記光学系は、前記第１及び第２の光の一方を透過させ他方を反射させるダイクロイックプリズムと、前記第１及び第２の光を光ディスクの情報記録面に集光する対物レンズとを備えることを特徴とする請求項２に記載の光ディスク装置。
【請求項３】
前記第１光路変換手段は、前記第１レーザ光源と前記ダイクロイックプリズムとの光路上に配置されたミラーを備え、前記ミラーが光路に進退することを特徴とする請求項２に記載の光ディスク装置。
【請求項４】
前記第１光路変換手段は、前記第１レーザ光源と前記ダイクロイックプリズムとの光路上に配置された偏光ビームスプリッタと、該偏光ビームスプリッタを透過した前記第１の光が入射する液晶素子と、前記偏光ビームスプリッタを反射した前記第１の光が入射する液晶素子とを備え、一方の前記液晶素子が遮光されると、他方の前記液晶素子が透過することを特徴とする請求項２に記載の光ディスク装置。
【請求項５】
前記磁性体は、前記ホルダの表面に貼り付けられたことを特徴とする請求項１から請求項４のいずれかに記載の光ディスク装置。
【請求項６】
発光素子と該発光素子を保持するホルダを備えるレーザ光源と、前記発光素子から射出されるレーザ光を光ディスクの情報記録面に集光する光学系とを備えた光ディスク装置において、
前記ホルダの表面に設けた磁性体と、該磁性体に光を照射する光源と、前記磁性体からの反射光を入射させる偏光素子と、該偏光素子から射出される光を受光する検出器とを備え、
前記磁性体が所定温度以下であるときには、前記磁性体からの反射光は、前記偏光素子を透過し、前記検出器に受光されることを特徴とする光ディスク装置。
【発明の詳細な説明】
【技術分野】
【０００１】
本発明は、光ディスクより情報を再生、または光ディスクに情報を記録するものであり、特に光ディスクに照射されるレーザ光源の温度を検出する光ディスク装置に関する。
【背景技術】
【０００２】
映像、音声等の情報の記録媒体としてレーザ光を照射することで情報を再生することができる光ディスクが利用されている。光ディスクとして、ＣＤ（Ｃｏｍｐａｃｔ  Ｄｉｓｃ）、記憶容量の大きなＤＶＤ（Ｄｉｇｉｔａｌ  Ｖｅｒｓａｔｉｌｅ  Ｄｉｓｃ）が用いられており、近年、ＤＶＤよりさらに記憶容量の大きなＢＤ（Ｂｌｕ−ｒａｙ  Ｄｉｓｃ）も登場し、製品化されている。これら光ディスクを記録媒体とする光ディスク装置は、光ディスクを回転させこの光ディスクの記録面に光を照射することで、光ディスクに予め記録されている情報を再生する。
【０００３】
光ディスクに光を照射して再生や記録処理を行う光ピックアップ装置では、レーザダイオードにより射出されたレーザ光を所定の光学系を介して光ディスクに照射している。このような光ピックアップの発光装置として使用されるレーザダイオードは、電流を供給することにより発光するものであるが、その際、熱も発生することになる。発光の際に発生する熱によってレーザダイオードの温度が上昇することがある。レーザダイオードの温度が上昇した場合、レーザダイオードの発する光に波長変動が生じ、この発光装置を搭載した光ピックアップの再生や記録処理などに影響を与えてしまうことがある。また、レーザダイオードの温度が著しく上昇すると、このレーザダイオードを備えた発光装置が高温に起因して故障等してしまうことも考えられる。
【０００４】
そこで、従来、レーザダイオードを収納した筐体内部にモニタダイオードを内蔵させたレーザ光源がある。このレーザ光源のバックモニタダイオードに外部から電圧を印加した時に、バックモニタダイオードに生じる電圧を取得し、取得した電圧値に基づいて、電圧値と温度との関係を示すテーブルを参照することにより、レーザダイオードの温度を検出している。（例えば、特許文献１参照）。
【０００５】
しかしながら、上述した従来技術では、バックモニタダイオードで取得した電圧値からテーブルを参照する温度とレーザダイオードの実際の温度とを合致させることが難しく、温度検出精度が低下するという問題があった。
【０００６】
また、特許文献２では、半導体レーザ素子から射出されたレーザ光を整形プリズムを介して記録媒体に照射し、情報の記録または再生を行うようにした光ピックアップ装置において、整形プリズムに入射するレーザ光の周縁光線の一部を整形プリズムの外壁に照射して、その反射光を受光素子に導き、この受光素子の出力信号にもとづいて半導体レーザ素子の発光出力を制御している。こうすることによって、反射膜による反射率、透過率の不揃い、および温度、湿度などの環境条件の変化にともなう半導体レーザ素子の発光量の状態を監視・制御している。
【０００７】
しかしながら、上述した従来技術では、光ピックアップ装置内部の温度を検出していることになり、また反射膜による反射率、透過率等の光学的特性による影響も受光素子の出力信号に含んでおり、レーザダイオードが発光するときに発生する熱よる温度上昇を正確に検出しておらず、レーザダイオードの異常高温による損傷等の故障を防止することができないという問題があった。
【特許文献１】特開２００１−２１６６７２号公報（段落［００１８］、図３）
【特許文献２】特開２００４−７１０７３号公報（段落［００１１］、図１）
【発明の開示】
【発明が解決しようとする課題】
【０００８】
本発明は、上記のような課題を解決するためになされたものであり、本発明は、レーザダイオードが発光するときに発生する熱による温度上昇を精度良く検出して、レーザダイオードの異常高温による損傷等の故障を防止する光ディスク装置を提供することを目的とする。
【課題を解決するための手段】
【０００９】
上記目的を達成するために本発明は、第１の光を射出させる発光素子と該発光素子を保持する第１ホルダを備える第１レーザ光源と、第２の光を射出させる発光素子と該発光素子を保持する第２ホルダを備える第２レーザ光源と、光学系とを備え、該光学系を介して前記第１の光を第１光ディスクの情報記録面に集光させることによって情報の再生または記録を行う。また、前記光学系を介して前記第２の光を第２光ディスクの情報記録面に集光させることによって情報の再生または記録を行う。前記第１ホルダの表面に設けた第１磁性体と、前記第２ホルダの表面に設けた第２磁性体と、前記第１レーザ光源と前記光学系との光路上に配置した第１光路変換手段と、前記第２レーザ光源と前記光学系との光路上に配置した第２光路変換手段とを備える。また、前記第１光路変換手段で光路を変換された前記第１の光を前記第２磁性体に向けて反射させ、前記第２磁性体からの反射光を入射させる第１偏光ビームスプリッタと、前記第２光路変換手段で光路を変換された前記第２の光を前記第１磁性体に向けて反射させ、前記第１磁性体からの反射光を入射させる第２偏光ビームスプリッタと、前記第１及び第２偏光ビームスプリッタから射出される光を受光する検出器とを備える。前記第１光ディスクの情報の再生または記録を行うときには、前記第１の光は前記第１光路変換手段により前記光学系に向かうように光路を変換されるとともに、前記第２の光は、前記第２光路変換手段により前記第２偏光ビームスプリッタに向かうように変換され、前記第２偏光ビームスプリッタを介して前記第１磁性体を照射して、前記第１磁性体が所定温度以下であるときには、前記第１磁性体で反射した前記第２の光は前記第２偏光ビームスプリッタを透過して、前記検出器に受光される。前記第２光ディスクの情報の再生または記録を行うときには、前記第２の光は前記第２光路変換手段により前記光学系に向かうように光路を変換されるとともに、前記第１の光は、前記第１光路変換手段により前記第１偏光ビームスプリッタに向かうように変換され、前記第１偏光ビームスプリッタを介して前記第２磁性体を照射して、前記第２磁性体が所定温度以下であるときには、前記第２磁性体で反射した前記第１の光は前記第１偏光ビームスプリッタを透過して、前記検出器に受光されることを特徴としている。
【００１０】
この構成によると、第１の光を射出して第１光ディスク情報の再生または記録を行うときに、第２の光が第１ホルダの表面に照射されて、第１の光の発光素子が発光するときに発生する熱による温度を検出する。また、第２の光を射出して第２光ディスク情報の再生または記録を行うときに、第１の光が第２ホルダの表面に照射されて、第２の光の発光素子が発光するときに発生する熱による温度を検出する。
【００１１】
また、本発明は、上記の構成の光ディスク装置において、前記光学系は、前記第１及び第２の光の一方を透過させ他方を反射させるダイクロイックプリズムと、レーザ光を光ディスクの情報記録面に集光する対物レンズとを備えることを特徴としている。この構成によると、第１の光と第２の光は、対物レンズに入射して、対物レンズにより、第１の光が第１光ディスクの情報記録面に集光し、第２の光が第２光ディスクの情報記録面に集光する。
【００１２】
また、本発明は、上記の構成の光ディスク装置において、前記第１光路変換手段は、前記第１レーザ光源と前記ダイクロイックプリズムとの光路上に配置されたミラーを備え、前記ミラーが光路に進退することを特徴としている。この構成によると、光ディスク情報の再生または記録を行う光学系に向かう光路と温度検出を行う第１偏光ビームスプリッタに向かう光路とに切り換える。
【００１３】
また、本発明は、上記の構成の光ディスク装置において、前記第１光路変換手段は、前記第１レーザ光源と前記ダイクロイックプリズムとの光路上に配置された偏光ビームスプリッタと、該偏光ビームスプリッタを透過した前記第１の光が入射する液晶素子と、前記偏光ビームスプリッタを反射した前記第１の光が入射する液晶素子とを備え、一方の前記液晶素子が遮光されると、他方の前記液晶素子が透過することを特徴としている。この構成によると、第１レーザ光源から射出した第１の光を互いの液晶素子により、光ディスク情報の再生または記録を行う光学系に向かう光路と温度検出を行う第１偏光ビームスプリッタに向かう光路とを切り換える。
【００１４】
また、本発明は、上記の構成の光ディスク装置において、前記磁性体は、前記ホルダの表面に貼り付けられたことを特徴としている。この構成によると、ホルダの表面に貼り付けられた磁性体に第１及びだ第２の光が照射される。
【００１５】
また、本発明は、発光素子と該発光素子を保持するホルダを備えるレーザ光源と、前記発光素子から射出されるレーザ光を光ディスクの情報記録面に集光する光学系とを備えた光ディスク装置において、前記ホルダの表面に設けた磁性体と、該磁性体に光を照射する光源と、前記磁性体からの反射光を入射させる偏光素子と、該偏光素子から射出される光を受光する検出器とを備え、前記磁性体が所定温度以下であるときには、前記磁性体からの反射光は、前記偏光素子を透過し、前記検出器に受光されることを特徴としている。
【００１６】
この構成によると、レーザ光を射出して光ディスク情報の再生または記録を行っているときに、光源からの光がレーザ光源のホルダ表面に照射されて、発光素子が発光するときに発生する熱による温度を検出する。
【発明の効果】
【００１７】
本発明の請求項１によると、第１の光を射出して第１光ディスク情報の再生または記録を行うときに、第２の光が第１ホルダの表面に照射されて、第１の光の発光素子が発光するときに発生する熱による温度を検出する。また、第２の光を射出して第２光ディスク情報の再生または記録を行うときに、第１の光が第２ホルダの表面に照射されて、第２の光の発光素子が発光するときに発生する熱による温度を検出するので、第１及び第２レーザ光源に発生する熱よる温度上昇を精度良く検出して、第１及び第２レーザ光源の異常高温による損傷等の故障を防止することができる。また、第１及び第２レーザ光源の温度検出は、記録再生を行っていない他方のレーザ光源により行われるので、特別に検出用の部材を設ける必要がなく、装置が簡単になり、また小型にすることができる。
【発明を実施するための最良の形態】
【００１８】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１９】
（第１実施形態）
図１は、本発明の第１実施形態である光ディスク装置の概略構成を示す図である。図１に示す光ディスク装置Ａは、ＣＤメディア、ＤＶＤメディア、ＢＤメディアの３種類の光ディスクを記録・再生することができるものである。
【００２０】
光ディスク装置Ａには、青色レーザ光源１と、赤色レーザ光源２と、ダイクロイックプリズム３と、偏光ビームスプリッタ４と、コリメートレンズ５と、ミラー６と、１／４波長板８と、対物レンズ９と、シリンドリカルレンズ１０と、受光部１１と、レーザドライバ１３と、制御部１５とを備えている。
【００２１】
青色レーザ光源１は、青色レーザ光（波長４０５ｎｍ）を射出するためのレーザ光であり、ＢＤメディアの再生に用いられるものである。また、赤色レーザ光源２は、ＤＶＤメディアの再生用の赤色レーザ光（波長６５０ｎｍ）及びＣＤメディアの再生用の赤外レーザ光（波長７８０ｎｍ）を射出するものである。青色レーザ光源１または赤色レーザ光源２より射出されるレーザ光は直線偏光のレーザ光である。
【００２２】
ダイクロイックプリズム３は特定波長のレーザ光を反射し、その他の波長のレーザ光を透過させるプリズムである。光ディスク装置Ａで用いられるダイクロイックプリズム３は、青色レーザ光源１より射出されたレーザ光は透過し、赤色レーザ光源２より射出された赤色レーザ光または赤外レーザ光は反射し、各波長のレーザ光をダイクロイックプリズム３の後段に配置されている偏光ビームスプリッタ４に入射させる。
【００２３】
偏光ビームスプリッタ４は直線偏光のレーザ光をその偏光方向によって透過または反射するプリズムである。青色レーザ光源１及び赤色レーザ光源２より射出されるレーザ光は、偏光ビームスプリッタ４を透過できる直線偏光のレーザ光を射出するものである。また、偏光ビームスプリッタ４を透過したレーザ光はコリメートレンズ５に入射する。コリメートレンズ５は透過したレーザ光を発散光から平行光に変換する。
【００２４】
１／４波長板８は透過するレーザ光の偏光を直線偏光から円偏光にまたは円偏光を直線偏光に変換するものである。１／４波長板８を透過したレーザ光は円偏光に変換され、光ディスクＤｓで反射され、再び１／４波長板８を透過するときには直線偏光に変換される。１／４波長板８を透過し、光ディスクで反射され、再度１／４波長板８を透過することで、レーザ光の直線偏光の偏光方向は９０度回転する。すなわち、光ディスクＤｓで反射する前の１／４波長板８に入射したレーザ光は偏光ビームスプリッタ４を透過する方向の直線偏光であり、光ディスクで反射し、１／４波長板８を透過したレーザ光は偏光ビームスプリッタ４で反射される方向の直線偏光になる。
【００２５】
対物レンズ９は１／４波長板８を透過したレーザ光を光ディスクＤｓの記録層上に集光させるものである。
【００２６】
受光部１１は、偏光ビームスプリッタ４で反射され、シリンドリカルレンズ１０を透過したレーザ光を受光するものである。受光部１１は受光したレーザ光を電気信号に変換し、制御部１５に電気信号を送る。受光部１１はそれには限定されないが、光電素子を用いるものを挙げることができる。シリンドリカルレンズ１０は一方向にのみ光を集束することができるレンズであり、センシングに用いられるものである。
【００２７】
レーザドライバ１３は、青色レーザ光源１または赤色レーザ光源２を駆動するための電力を供給するものである。レーザドライバ１３としては、例えば電力供給用の電気回路を挙げることができる。制御部１５は、受光部１１及びレーザドライバ１３と接続し、これらを制御するものである。制御部１５としては、ＣＰＵや、マイコン等の演算処理装置を含むものを挙げることができる。
【００２８】
光ディスク装置Ａを用いて光ディスクＤｓに記録されている情報を読み出す手順は以下のとおりである。まず、青色レーザ光源１を射出しダイクロイックプリズム３を透過したレーザ光、または赤色レーザ光源２を射出しダイクロイックプリズム３で反射されたレーザ光は、偏光ビームスプリッタ４に入射する。偏光ビームスプリッタ４は偏光方向によって透過または屈折させるプリズムであり、ダイクロイックプリズム３より射出されたレーザ光はここでは透過するように青色レーザ光源１または赤色レーザ光源２より射出される。偏光ビームスプリッタ４を透過したレーザ光はコリメートレンズ５にて平行光に変換され、ミラー６にて反射されて、１／４波長板８に入射する。１／４波長板８を透過したレーザ光は、それまでの直線偏光から、円偏光に変換され、対物レンズ９に入射する。
【００２９】
対物レンズ９に入射したレーザ光は光ディスクＤｓの記録層上に集光され、レーザスポットとして照射される。記録層上に形成されているトラックにレーザ光を集光したレーザスポットが照射し反射される。このとき、レーザ光の偏光方向は反射前のレーザ光の偏光方向と逆方向に回転する円偏光になる。この逆方向の円偏光の光が対物レンズ９を経て、１／４波長板８を透過するときに、直線偏光に変換される。このとき、変換されたレーザ光の偏光方向は偏光ビームスプリッタ４を透過したレーザ光の偏光方向と直交する方向になっている。
【００３０】
１／４波長板８を透過したレーザ光はミラー６で反射されコリメータレンズ５を透過するときに平行光から集束光に変換される。コリメータレンズ５を透過したレーザ光は偏光ビームスプリッタ４で反射されて、シリンドリカルレンズ１０を透過し、受光部１１に入射する。受光部１１はレーザ光を電気信号に変換し、制御部１５にその電気信号を送る。制御部１５は受信した電気信号を、図示を省略した信号処理部に送信するとともに、電気信号に含まれる制御信号をもとに、必要であればレーザドライバ１３に指示を送る。
【００３１】
次に、上述の光ディスク装置に用いられる温度検出装置について図１及び図２により説明する。図２は光ディスク装置の青色及び赤色レーザ光源を示す斜視図である。なお、図２の括弧内の数字は赤色レーザ光源の構成部材を示している。
【００３２】
これまで説明した図１に示すダイクロイックプリズム３の前段に温度検出装置が設けられ、それぞれ第１レーザ光源としての青色レーザ光源１と第２レーザ光源としての赤色レーザ光源２の温度を検出する。
【００３３】
青色レーザ光源１は、図２に示すように、内部が中空とされた例えば金属製の第１ホルダ１ｂと、第１ホルダ１ｂの内部に収納された発光素子１ａを備えている。第１ホルダ１ｂに設けた出射窓１ｃから第１の光としての青色レーザ光が外部に射出される。第１ホルダ１ｂの外面には、第１磁性体２６が貼り付けられている。
【００３４】
赤色レーザ光源２は、図２に示すように、内部が中空とされた例えば金属製の第２ホルダ２ｂと、第２ホルダ２ｂの内部に収納された発光素子２ａを備えている。第２ホルダ２ｂに設けた出射窓２ｃから第２の光としての赤色レーザ光及び赤外レーザ光が外部に射出される。第２ホルダ２ｂの外面には、第２磁性体２７が貼り付けられている。なお、第１磁性体２６及び第２磁性体２７については後述する。
【００３５】
図１に示す青色レーザ光源１の温度検出装置には、第１磁性体２６、赤色レーザ光源２、第２光路変換手段としての第２ミラー２２、第２偏光ビームスプリッタ２４及び検出器２５を備えている。
【００３６】
また、赤色レーザ光源２の温度検出装置には、第２磁性体２７、青色レーザ光源１、第１光路変換手段としての第１ミラー２１、第１偏光ビームスプリッタ２３及び検出器２５を備えている。
【００３７】
赤色レーザ光源２の温度検出装置について説明する。第１ミラー２１は、青色レーザ光源１とダイクロイックプリズム３の光路の間に配設され、その一端を中心にして回転可能に保持されている。ＢＤメディアの光ディスクの情報再生または記録を行うときには、第１ミラー２１が回転して光路から退避し、青色レーザ光源１から射出した青色レーザ光がダイクロイックプリズム３に入射する。赤色レーザ光源２の温度を検出するときには、第１ミラー２１は、光路上にあり、青色レーザ光源１から射出した青色レーザ光を反射させて、青色レーザ光は第１偏光ビームスプリッタ２３に入射する。
【００３８】
第１偏光ビームスプリッタ２３は直線偏光のレーザ光をその偏光方向によって透過または反射するプリズムである。ここで第１偏光ビームスプリッタ２３は、青色レーザ光源１より射出される青色レーザ光を反射させ、反射されるレーザ光に対して直交する偏光方向のレーザ光を透過させる。従って第１偏光ビームスプリッタ２３は、第１ミラー２１で反射した青色レーザ光を反射させ、青色レーザ光は赤色レーザ光源２に設けた第２磁性体２７に照射される。
【００３９】
第２磁性体２７は、鉄とコバルトの合金が使われ、常温では直線偏光の青色レーザ光がその表面に照射されると、その反射光を楕円偏光に変える。楕円偏光の反射光が第１偏光ビームスプリッタ２３に入射すると、その反射光の中で照射時のレーザ光に対して直交する偏光方向のレーザ光が第１偏光ビームスプリッタ２３を透過する。一方、所定温度であるキュリー温度を超えるような高温になると、第２磁性体２７は磁性を失うことになり、直線偏光の青色レーザ光がその表面に照射されると、その反射光は照射時の直線偏光のままである。従ってその反射光は、第１偏光ビームスプリッタ２３に入射しても、第１偏光ビームスプリッタ２３を透過することができない。
【００４０】
検出器２５は、第１偏光ビームスプリッタ２３を透過した青色レーザ光を受光するものである。検出器２５は受光した青色レーザ光を電気信号に変換し、制御部１５に電気信号を送る。
【００４１】
制御部１５では、温度検出の期間において、青色レーザ光の電気信号が入力されている場合には、赤色レーザ光源２の駆動を行い、青色レーザ光の電気信号が入力されない場合には、異常温度上昇が検知されたものとみなして、赤色レーザ光源２の駆動を停止する。
【００４２】
次に、青色レーザ光源１の温度検出について説明する。第２ミラー２２は、赤色レーザ光源２とダイクロイックプリズム３の光路の間に配設され、その一端を中心にして回転可能に保持されている。ＣＤメディアまたはＤＶＤメディアの光ディスクの情報再生または記録を行うときには、第２ミラー２２が回転して光路から退避し、赤色レーザ光源２の赤色レーザ光または赤外レーザ光がダイクロイックプリズム３に入射する。青色レーザ光源１の温度を検出するときには、第２ミラー２２は、光路上にあり、赤色レーザ光源２の赤色レーザ光を反射させて、赤色レーザ光は第２偏光ビームスプリッタ２４に入射する。赤色レーザ光に替えて、赤色レーザ光源２から赤外レーザ光を射出させて、青色レーザ光源１の温度を検出しても良い。
【００４３】
第２偏光ビームスプリッタ２４は直線偏光のレーザ光をその偏光方向によって透過または反射するプリズムである。ここで第２偏光ビームスプリッタ２４は、赤色レーザ光源２より射出される赤色レーザ光を反射させ、反射されるレーザ光に対して直交する偏光方向のレーザ光を透過させる。従って第２偏光ビームスプリッタ２４は、第２ミラー２２で反射した赤色レーザ光を反射させ、赤色レーザ光は青色レーザ光源１に設けた第１磁性体２６に照射される。
【００４４】
第１磁性体２６は、鉄とコバルトの合金が使われ、常温では直線偏光の赤色レーザ光がその表面に照射されると、その反射光を楕円偏光に変える。楕円偏光の反射光が第２偏光ビームスプリッタ２４に入射すると、その反射光の中で照射時のレーザ光に対して直交する偏光方向のレーザ光が第２偏光ビームスプリッタ２４を透過する。一方、所定温度であるキュリー温度を超えるような高温になると、第１磁性体２６は磁性を失うことになり、直線偏光の赤色レーザ光がその表面に照射されると、その反射光は照射時の直線偏光のままである。従ってその反射光は、第２偏光ビームスプリッタ２４に入射しても、第２偏光ビームスプリッタ２４を透過することができない。
【００４５】
検出器２５は、第２偏光ビームスプリッタ２４を透過した赤色レーザ光を受光するものである。検出器２５は受光した赤色レーザ光を電気信号に変換し、制御部１５に電気信号を送る。
【００４６】
制御部１５では、温度検出の期間において、赤色レーザ光の電気信号が入力されている場合には、青色レーザ光源１の駆動を行い、赤色レーザ光の電気信号が入力されない場合には、異常温度上昇が検知されたものとみなして、青色レーザ光源１の駆動を停止する。
【００４７】
次に、光ディスク装置おける温度検出の動作について説明する。
【００４８】
赤色レーザ光源２の温度検出を行うには、図１に示す第２ミラー２２が回転して光路から退避し、レーザドライバ１３が赤色レーザ光源２を駆動させると、赤色レーザ光または赤外レーザ光がダイクロイックプリズム３、偏光ビームスプリッタ４、コリメータレンズ５、ミラー６、１／４波長板８及び対物レンズ９（以下、「光学系」とする）を介してＣＤメディアまたはＤＶＤメディアの光ディスクの情報記録面に集光する。
【００４９】
第１ミラー２１は光路上にあり、レーザドライバ１３が青色レーザ光源１を駆動させると、青色レーザ光が第１ミラー２１に反射して、第１偏光ビームスプリッタ２３に入射する。第１偏光ビームスプリッタ２３に入射した青色レーザ光は、第１偏光ビームスプリッタ２３で反射され、赤色レーザ光源２に設けた第２磁性体２７に照射されて、第２磁性体２７で反射される。
【００５０】
ここで、所定温度を超えていない場合には、第２磁性体２７で反射した青色レーザ光は、楕円偏光に位相が変換されているので、楕円偏光されたレーザ光の中で照射時のレーザ光に対して直交する偏光方向のレーザ光が第１偏光ビームスプリッタ２３を透過して、検出器２５に入射する。検出器２５は受光した青色レーザ光を電気信号に変換し、制御部１５に電気信号を送る。制御部１５では、温度検出の期間において、青色レーザ光の電気信号が入力されていると、赤色レーザ光源２の駆動を継続する。
【００５１】
一方、所定温度を超えている場合には、第２磁性体２７で反射した青色レーザ光は、位相の変換が行われずに、照射時の直線偏光のままであるので、第１偏光ビームスプリッタ２３を透過することがなく、検出器２５に入射しない。制御部１５では、温度検出の期間において、青色レーザ光の電気信号が検出器２５から入力されていないと、異常温度上昇が検知されたものとみなして、赤色レーザ光源２の駆動を停止する。
【００５２】
次に、青色レーザ光源１の温度検出を行うには、図１に示す第１ミラー２１が回転して光路から退避して、レーザドライバ１３が青色レーザ光源１を駆動させると、光学系を介してＢＤメディアの光ディスクの情報記録面に集光する。
【００５３】
第２ミラー２２は光路上にあり、レーザドライバ１３が赤色レーザ光源２を駆動させると、赤色レーザ光が第２ミラー２２に反射して、第２偏光ビームスプリッタ２４に入射する。第２偏光ビームスプリッタ２４に入射した赤色レーザ光は、第２偏光ビームスプリッタ２４で反射され、青色レーザ光源１に設けた第１磁性体２６に照射されて、第１磁性体２６で反射される。
【００５４】
ここで、所定温度を超えていない場合には、第１磁性体２６で反射した赤色レーザ光は、楕円偏光に位相が変換されているので、楕円偏光されたレーザ光の中で照射時のレーザ光に対して直交する偏光方向のレーザ光が第２偏光ビームスプリッタ２４を透過して、検出器２５に入射する。検出器２５は受光した赤色レーザ光を電気信号に変換し、制御部１５に電気信号を送る。制御部１５では、温度検出の期間において、赤色レーザ光の電気信号が入力されていると、青色レーザ光源１の駆動を継続する。
【００５５】
一方、所定温度を超えている場合には、第１磁性体２６で反射した赤色レーザ光は、位相の変換が行われずに、照射時の直線偏光のままであるので、第２偏光ビームスプリッタ２４を透過することがなく、検出器２５に入射しない。制御部１５では、温度検出の期間において、赤色レーザ光の電気信号が検出器２５から入力されていないと、異常温度上昇が検知されたものとみなして、青色レーザ光源１の駆動を停止する。
【００５６】
第１実施形態によると、青色レーザ光を射出させる発光素子１ａと該発光素子１ａを保持するホルダ１ｂを備える青色レーザ光源１と、赤色レーザ光を射出させる発光素子２ａと該発光素子２ａを保持するホルダ２ｂを備える赤色レーザ光源２と、光源側から順にダイクロイックプリズム３と偏光ビームスプリッタ４とコリメートレンズ５とミラー６と１／４波長板８と対物レンズ９とを有する光学系とを備え、この光学系を介して青色レーザ光をＢＤメディアの光ディスクの情報記録面に集光させることによって情報の再生または記録を行う。また、光学系を介して赤色レーザ光または赤外レーザ光をＤＶＤメディアまたはＣＤメディアの光ディスクの情報記録面に集光させることによって情報の再生または記録を行う。青色レーザ光源１のホルダ１ｂの表面に設けた第１磁性体２６と、赤色レーザ光源２のホルダ２ｂの表面に設けた第２磁性体２７と、青色レーザ光源１とダイクロイックプリズム３との光路上に配置した第１ミラー２１と、赤色レーザ光源２とダイクロイックプリズム３との光路上に配置した第２ミラー２２とを備える。また、第１ミラー２１で反射された青色レーザ光を第２磁性体２７に向けて反射させ、この第２磁性体２７からの反射光を入射させる第１偏光ビームスプリッタ２３と、第２ミラー２２で反射された赤色レーザ光を第１磁性体２６に向けて反射させ、この第１磁性体２６からの反射光を入射させる第２偏光ビームスプリッタ２４と、第１及び第２偏光ビームスプリッタ２３及び２４から射出される光を受光する検出器２５とを備える。ＢＤメディアの光ディスク情報の再生または記録を行うときには、青色レーザ光は、第１ミラー２１が光路外に退避することにより光学系に向かい、その光ディスク情報記録面に集光させるとともに、赤色レーザ光は、第２ミラー２２により反射され、第２偏光ビームスプリッタ２４を介して第１磁性体２６を照射して、第１磁性体２６が所定温度以下であるときには、第１磁性体２６で反射した赤色レーザ光は第２偏光ビームスプリッタ２４を透過して、検出器２５に受光される。ＤＶＤメディアまたはＣＤメディアの光ディスク情報の再生または記録を行うときには、赤色レーザ光または赤外レーザ光は、第２ミラー２２が光路外に退避することにより光学系に向かい、その光ディスク情報記録面に集光させるとともに、青色レーザ光は、第１ミラー２１により反射され、第１偏光ビームスプリッタ２３を介して第２磁性体２７を照射して、第２磁性体２７が所定温度以下であるときには、第２磁性体２７で反射した青色レーザ光は第１偏光ビームスプリッタ２３を透過して、検出器２５に受光される。
【００５７】
この構成によって、青色レーザ光を射出してＢＤメディアの光ディスク情報の再生または記録を行うときに、赤色レーザ光が青色レーザ光源１のホルダ１ｂ表面に設けた第１磁性体２６に照射されて、発光素子１ａが発光するときに発生する熱による温度を検出することができるので、青色レーザ光源１に発生する熱よる温度上昇を精度良く検出して、青色レーザ光源１の異常高温による損傷等の故障を防止することができる。また、赤色レーザ光または赤外レーザ光を射出してＤＶＤメディアまたはＣＤメディアの光ディスク情報の再生または記録を行うときに、青色レーザ光が赤色レーザ光源２のホルダ２ｂ表面に設けた第２磁性体２７に照射されて、発光素子２ａが発光するときに発生する熱による温度を検出することができるので、赤色レーザ光源２に発生する熱よる温度上昇を精度良く検出して、赤色レーザ光源２の異常高温による損傷等の故障を防止することができる。
【００５８】
また、この構成によって、青色レーザ光源１の温度検出は、記録再生を行っていない赤色レーザ光源２により行われ、また、赤色レーザ光源２の温度検出は、記録再生を行っていない青色レーザ光源１により行われるので、特別に検出用の部材を設ける必要がなく、装置が簡単になり、また小型にすることができる。
【００５９】
また、この構成によって、レーザ光源１、２から射出したレーザ光を第１及び第２ミラー２１、２２により、光ディスク情報の再生記録を行う光学系に向かう光路と温度検出を行う第１及び第２偏光ビームスプリッタ２３、２４に向かう光路とに切り換えているので、装置が簡単になり、また小型にすることができる。
【００６０】
また、この構成によって、第１及び第２磁性体２６、２７は、ホルダ１ｂ、２ｂの表面に貼り付けられているので、レーザ光源１、２の耐熱温度特性に合わせて、第１及び第２磁性体２６、２７を選定すると良く、種々のレーザ光源の温度検出を行うことができる。
【００６１】
上記の実施形態における第１ミラー２１及び第２ミラー２２に替えて、図３に示す偏光ビームスプリッタ３２と液晶素子３３及び３４で光路変換手段を構成しても良い。図３は光路変換手段の変形実施形態を示す断面図である。
【００６２】
図３に示すように、１／４波長板３１が青色レーザ光源１の青色レーザ光を直線偏光から円偏光に変換する。偏光ビームスプリッタ３２では、円偏光された青色レーザ光が直線偏光に分離され、一方の直線偏光のレーザ光は透過し、透過したレーザ光に対して直交する偏光方向のレーザ光は反射する。偏光ビームスプリッタ３２を透過したレーザ光が液晶素子３３に入射し、偏光ビームスプリッタ３２を反射したレーザ光が液晶素子３４に入射する。
【００６３】
液晶素子３３は、その両側に透明電極３３ａ及び３３ｂを備え、透明電極３３ａ及び３３ｂのそれぞれに一様に電圧が印加されると、液晶分子３３ｃの配向が回転して、偏光ビームスプリッタ３２から入射したレーザ光は、遮光されて、透明電極３３ｂから射出することができない。透明電極３３ａ及び３３ｂに電圧が印加されていないと、偏光ビームスプリッタ３２から入射したレーザ光は、透過して、透明電極３３ｂから射出する。
【００６４】
液晶素子３４は、その両側に透明電極３４ａ及び３４ｂを備え、透明電極３４ａ及び３４ｂのそれぞれに一様に電圧が印加されると、液晶分子３４ｃの配向が回転して、偏光ビームスプリッタ３２から入射したレーザ光は、遮光されて、透明電極３４ｂから射出することができない。透明電極３４ａ及び３４ｂに電圧が印加されていないと、偏光ビームスプリッタ３２から入射したレーザ光は、透過して、透明電極３４ｂから射出する。
【００６５】
上記のような構成によると、青色レーザ光源１が青色レーザ光を射出しているときに、液晶素子３３に電圧が印加されずに液晶素子３４に電圧が印加されると、青色レーザ光源１から射出した青色レーザ光は、１／４波長板３１、偏光ビームスプリッタ３２を透過して、液晶素子３３を透過し、液晶素子３３を透過したレーザ光は、図１に示す光学系を介してＢＤメディアの光ディスクの情報記録面に集光される。偏光ビームスプリッタ３２で反射した青色レーザ光は液晶素子３４で遮光させる。一方、液晶素子３３に電圧が印加され液晶素子３４に電圧が印加されていないと、青色レーザ光源１から射出した青色レーザ光は、１／４波長板３１、偏光ビームスプリッタ３２を透過して、液晶素子３３により遮光される。偏光ビームスプリッタ３２で反射した青色レーザ光は液晶素子３４を透過する。液晶素子３４を透過したレーザ光は、図１に示す第１偏光ビームスプリッタ２３で反射され、赤色レーザ光源２に設けた第２磁性体２７に照射される。
【００６６】
第１実施形態の変形実施形態によると、青色レーザ光源１とダイクロイックプリズム３との光路上に配置された偏光ビームスプリッタ３２と、この偏光ビームスプリッタ３２を透過した青色レーザ光が入射する液晶素子３３と、偏光ビームスプリッタ３２を反射した青色レーザ光が入射する液晶素子３４とを備え、一方の液晶素子３３または３４が遮光されると、他方の液晶素子３４または３３が透過することによって、光路変換手段を構成しているので、モータ等の駆動源がないので、静かでまた装置を小型化することができる。
【００６７】
上述の１／４波長板３１、偏光ビームスプリッタ３２及び液晶素子３３、３４を、図１に示すミラー２２に替えて、赤色レーザ光源２とダイクロイックプリズム３との間に配設すると、赤色レーザ光源２用の光路変換手段を構成することができる。
【００６８】
（第２実施形態）
図４は、本発明の第２実施形態であるＢＤメディアの光ディスク装置の概略構成を示す図である。第１実施形態と異なる、温度検出装置の構成について説明し、以降、第１実施形態と同じ部分の説明を省略する。
【００６９】
温度検出装置は、光源３５、偏光素子３６及び検出器３７を備えている。光源３５は、直線偏光のレーザ光を射出して、青色レーザ光源１のホルダ１ｂに貼り付けた第１磁性体２６を照射する。偏光素子３６は、光源３５から射出した直線偏光に対して直交する偏光方向のレーザ光を透過させる偏光板である。検出器３７は偏光素子３６を透過したレーザ光を受光する。
【００７０】
ここで、青色レーザ光源１が所定温度を超えていない場合には、第１磁性体２６で反射した直線偏光のレーザ光は、楕円偏光に位相が変換されているので、楕円偏光されたレーザ光の中で照射時のレーザ光に対して直交する偏光方向のレーザ光が偏光素子３６を透過して、検出器３７に入射する。検出器３７は受光したレーザ光を電気信号に変換し、制御部１５に電気信号を送ると、制御部１５では、温度検出の期間において、レーザ光の電気信号が入力されていると、青色レーザ光源１の駆動を継続する。
【００７１】
一方、青色レーザ光源１が所定温度を超えている場合には、第１磁性体２６で反射したレーザ光は、位相の変換が行われずに、照射時の直線偏光のままであるので、偏光素子３６を透過することがなく、検出器３７に入射しない。制御部１５では、温度検出の期間において、レーザ光の電気信号が検出器３７から入力されていないと、異常温度上昇が検知されたものとみなして、青色レーザ光源１の駆動を停止する。
【００７２】
第２実施形態によると、発光素子１ａと該発光素子１ａを保持するホルダ１ｂを備える青色レーザ光源１と、発光素子１ａから射出される青色レーザ光をＢＤメディアの光ディスクの情報記録面に集光する光学系とを備えた光ディスク装置において、ホルダ１ｂの表面に設けた第１磁性体２６と、該第１磁性体２６にレーザ光を照射する光源３５と、第１磁性体２６からの反射光を入射させる偏光素子３６と、該偏光素子３６から射出されるレーザ光を受光する検出器３７とを備える。第１磁性体２６が所定温度以下であるときには、第１磁性体２６からの反射光は、偏光素子３６を透過し、検出器３７に受光される。
【００７３】
この構成によって、青色レーザ光を射出してＢＤメディアの光ディスク情報の再生または記録を行うときに、光源３５のレーザ光が青色レーザ光源１のホルダ１ｂ表面に設けた第１磁性体２６に照射されて、発光素子１ａが発光するときに発生する熱による温度を検出することができるので、青色レーザ光源１に発生する熱よる温度上昇を精度良く検出して、青色レーザ光源１の異常高温による損傷等の故障を防止することができる。
【００７４】
尚、上記第２実施形態では、ＢＤメディアの光ディスク装置に適用した例を示したが、本発明はこれに限らず、ＣＤメディア、ＤＶＤメディアの光ディスク装置に適用してもよい。
【産業上の利用可能性】
【００７５】
本発明は、本発明は、ＢＤ、ＤＶＤ、ＣＤ等の光ディスクを記録媒体とする光ディスク装置において適用することができる。
【図面の簡単な説明】
【００７６】
【図１】は、本発明の第１実施形態である光ディスク装置の概略構成を示す図である。
【図２】は、本発明の第１実施形態である光ディスク装置のレーザ光源を示す斜視図である。
【図３】は、本発明の第１実施形態である光ディスク装置における光路変換手段の変形実施形態を示す断面図である。
【図４】は、本発明の第２実施形態である光ディスク装置の概略構成を示す図である。
【符号の説明】
【００７７】
Ａ  光ディスク装置
１  青色レーザ光源（第１レーザ光源）
１ａ  発光素子（第１レーザ光源）
１ｂ  ホルダ（第１レーザ光源）
２  赤色レーザ光源（第２レーザ光源）
２ａ  発光素子（第２レーザ光源）
２ｂ  ホルダ（第２レーザ光源）
３  ダイクロイックプリズム
４  偏光ビームスプリッタ
５  コリメートレンズ
６  ミラー
８  １／４波長板
９  対物レンズ
１０  シリンドリカルレンズ
１１  受光部
１３  レーザドライバ
１５  制御部
２１  第１ミラー（第１光路変換手段）
２２  第２ミラー（第２光路変換手段）
２３  第１偏光ビームスプリッタ
２４  第２偏光ビームスプリッタ
２５、３７  検出器
２６  第１磁性体
２７  第２磁性体
３１  １／４波長板
３２  偏光ビームスプリッタ（光路変換手段）
３３、３４  液晶素子（光路変換手段）
３５  光源
３６  偏光素子
【図１】
2008293597.tif 000003
【図２】
2008293597.tif 000004
【図３】
2008293597.tif 000005
【図４】
2008293597.tif 000006